(57)【要約】【課題】データ記録時の光ディスクの配置に対し、該光ディスクの表裏を反転する操作をすることなく該光ディスクに描画を行えるようにする。【解決手段】光ディスク１２にはデータ記録層Ａと描画層Ｂが積層配置されている。光ディスク１２の片面側に光ピックアップ１６を配置する。光ディスク１２を回転し、光ピックアップ１６のレーザ光１８でデータ記録層Ａのプリフォーマット情報から所定の基準位置１０８を検出する。基準位置１０８を基準としてＦＧパルスのパルス数をカウントして回転方向位置を検出する。基準位置１０８を基準として光ピックアップ１６の送り用ステッピングモータの駆動パルス数をカウントして径方向位置を検出する。レーザ光１８を描画層Ｂにフォーカスジャンプさせて、前記回転方向位置の検出および径方向位置の検出に基づき、所定の回転方向位置でかつ所定の径方向位置からレーザ光１８で描画層Ｂへの描画動作を開始する。【選択図】図１
2008004244.tif 000002
【特許請求の範囲】
【請求項１】
トラックが形成され該トラックに沿って所定の情報が記録されているデータ記録層と可視画像の形成が可能な描画層が積層形成され、同一面側からレーザ光を照射して、前記データ記録層に対するデータ記録と前記描画層に対する可視画像の形成を行えるように構成した光ディスクを使用し、その描画層に対して可視画像の形成を行う方法であって、
前記光ディスクをスピンドルモータで回転駆動し、光ピックアップから出射されるレーザ光を再生パワーで前記データ記録層にフォーカス制御しかつ該データ記録層のトラックにトラッキング制御して該トラックに記録されている前記所定の情報を読み取り、該読み取られた所定の情報から該トラック上の所定位置を検出し、該検出された所定位置を回転方向の基準位置として前記スピンドルモータの回転方向位置を計測し、
前記基準位置を検出した後に前記レーザ光のフォーカス制御対象を前記データ記録層から前記描画層に切り換え、適宜のディスク径方向位置で、前記計測されているスピンドルモータの回転方向位置に基づき、前記基準位置を基準とする該スピンドルモータの所定の回転方向位置から前記可視画像の形成動作を開始し、
該可視画像の形成動作を開始した後は、前記スピンドルモータの回転に同期して前記光ピックアップをディスク径方向に順次移送して該可視画像の形成動作を進行させる光ディスク描画方法。
【請求項２】
前記基準位置を基準とする前記スピンドルモータの回転方向位置を該スピンドルモータから発生されるＦＧパルスのパルス数をカウントして計測する請求項１記載の光ディスク描画方法。
【請求項３】
前記スピンドルモータを回転数一定に制御して、前記トラック上の所定位置の検出タイミングと該検出タイミングに隣接して発生される前記ＦＧパルスの発生タイミングとの時間差を計測し、該時間差分を補正して前記スピンドルモータの回転方向位置を計測する請求項２記載の光ディスク描画方法。
【請求項４】
トラックが形成され該トラックに沿って所定の情報が記録されているデータ記録層と可視画像の形成が可能な描画層が積層形成され、同一面側からレーザ光を照射して、前記データ記録層に対するデータ記録と前記描画層に対する可視画像の形成を行えるように構成した光ディスクを使用し、その描画層に対して可視画像の形成を行う方法であって、
前記光ディスクをスピンドルモータで回転駆動し、光ピックアップから出射されるレーザ光を再生パワーで前記データ記録層にフォーカス制御しかつ該データ記録層のトラックにトラッキング制御して該トラックに記録されている前記所定の情報を読み取り、該読み取られた所定の情報から該トラック上の所定位置を検出し、該検出された所定位置をディスク径方向の基準位置として前記光ピックアップのディスク径方向位置を計測し、
前記基準位置を検出した後に前記レーザ光のフォーカス制御対象を前記データ記録層から前記描画層に切り換え、前記計測されている光ピックアップのディスク径方向位置に基づき、前記基準位置を基準とする該光ピックアップの所定のディスク径方向位置から前記可視画像の形成動作を開始し、
該可視画像の形成動作を開始した後は、前記スピンドルモータの回転に同期して前記光ピックアップをディスク径方向に順次移送して該可視画像の形成動作を進行させる光ディスク描画方法。
【請求項５】
前記基準位置を基準とする前記光ピックアップのディスク径方向位置を該光ピックアップの送りモータの動作量に基づき計測する請求項４記載の光ディスク描画方法。
【請求項６】
トラックが形成され該トラックに沿って所定の情報が記録されているデータ記録層と可視画像の形成が可能な描画層が積層形成され、同一面側からレーザ光を照射して、前記データ記録層に対するデータ記録と前記描画層に対する可視画像の形成を行えるように構成した光ディスクを使用し、その描画層に対して可視画像の形成を行う方法であって、
前記光ディスクをスピンドルモータで回転駆動し、光ピックアップから出射されるレーザ光を再生パワーで前記データ記録層にフォーカス制御しかつ該データ記録層のトラックにトラッキング制御して該トラックに記録されている前記所定の情報を読み取り、該読み取られた所定の情報から該トラック上の所定位置を検出し、該検出された所定位置を回転方向およびディスク径方向の基準位置として前記スピンドルモータの回転方向位置および前記光ピックアップのディスク径方向位置をそれぞれ計測し、
前記基準位置を検出した後に前記レーザ光のフォーカス制御対象を前記データ記録層から前記描画層に切り換え、前記計測されているスピンドルモータの回転方向位置および光ピックアップのディスク径方向位置に基づき、前記基準位置を基準とする該スピンドルモータの所定の回転方向位置でかつ該基準位置を基準とする該光ピックアップの所定のディスク径方向位置から前記可視画像の形成動作を開始する光ディスク描画方法。
【請求項７】
トラックが形成され該トラックに沿って所定の情報が記録されているデータ記録層と可視画像の形成が可能な描画層が積層形成され、同一面側からレーザ光を照射して、前記データ記録層に対するデータ記録と前記描画層に対する可視画像の形成を行えるように構成した光ディスクを使用し、その描画層に対して可視画像の形成を行う方法であって、
前記光ディスクをスピンドルモータで回転駆動し、光ピックアップから出射されるレーザ光を再生パワーで前記データ記録層にフォーカス制御しかつ該データ記録層のトラックにトラッキング制御して該トラックに記録されている前記所定の情報を読み取り、該読み取られた所定の情報から該トラック上の所定の描画動作開始位置を検出し、
該描画動作開始位置を検出した前記光ピックアップのディスク径方向位置で前記レーザ光のフォーカス制御対象を前記データ記録層から前記描画層に切り換えて前記可視画像の形成動作を開始し、
該可視画像の形成動作を開始した後は、前記スピンドルモータの回転に同期して前記光ピックアップをディスク径方向に順次移送して該可視画像の形成動作を進行させる光ディスク描画方法。
【請求項８】
トラックが形成され該トラックに沿って位置情報が記録されているデータ記録層と可視画像の形成が可能な描画層が積層形成され、同一面側からレーザ光を照射して、前記データ記録層に対するデータ記録と前記描画層に対する可視画像の形成を行えるように構成した光ディスクを使用し、その描画層に対して可視画像の形成を行う方法であって、
前記光ディスクをスピンドルモータで回転駆動し、光ピックアップから出射されるレーザ光を再生パワーで前記データ記録層にフォーカス制御しかつ該データ記録層のトラックにトラッキング制御して該データ記録層から前記位置情報を読み取り、所定の描画動作開始位置の位置情報が読み取られたディスク径方向位置で前記トラッキング制御をホールドして、前記レーザ光のフォーカス制御対象を前記データ記録層から前記描画層に切り換え、前記スピンドルモータの所定の回転方向位置から、該ディスク径方向位置に形成する可視画像の形成動作を実行し、
該ディスク径方向位置について可視画像の形成動作を終了したら、前記レーザ光を再生パワーに設定し該レーザ光のフォーカス制御対象を前記描画層から前記データ記録層に戻して該レーザ光を該データ記録層のトラックにトラッキング制御し、
前回トラッキング制御のホールドを開始したディスク回転方向位置に隣接するトラック位置で該トラッキング制御を再びホールドして該レーザ光のフォーカス制御対象を前記データ記録層から前記描画層に切り換え、前記スピンドルモータの前記所定の回転方向位置から、該径方向位置に形成する可視画像の形成動作を実行し、
以後、以上の動作を繰り返し実行することにより、可視画像の形成動作を実行する径方向位置をトラックピッチで順次移動して該可視画像の形成を行う光ディスク描画方法。
【請求項９】
前記形成しようとする可視画像がディスク径方向の途中位置に可視画像の形成を要しないディスク径方向領域を有するものであり、該可視画像の形成動作実行中の径方向位置が該可視画像の形成を要しないディスク径方向領域の開始位置に到達したときに、前記レーザ光を再生パワーに設定しかつ該レーザ光のフォーカス制御対象を前記データ記録層に設定して、該データ記録層に記録されている前記位置情報から前記可視画像の形成を要しないディスク径方向領域の終了位置を経過した可視画像の形成動作再開位置をシークし、該可視画像の形成動作再開位置がシークされたディスク径方向位置で前記トラッキング制御をホールドして、前記レーザ光のフォーカス制御対象を前記データ記録層から前記描画層に切り換え、前記スピンドルモータの前記所定の回転方向位置から、該ディスク径方向位置に形成する可視画像の形成動作を実行し、前記トラックピッチでの可視画像の形成動作を再開する請求項８記載の光ディスク描画方法。
【請求項１０】
前記光ピックアップで前記光ディスクの前記データ記録層から所定の描画可能ディスク識別情報を検出したことを条件に、該光ディスクの前記描画層に対する前記可視画像の形成を許可する請求項１から９のいずれかに記載の光ディスク描画方法。
【請求項１１】
前記描画可能ディスク識別情報がサブコード、メインデータ、ＣＲＣエラーの特定発生パターン、ＡＴＩＰ、ＡＤＩＰのいずれかで記述されている請求項１０記載の光ディスク描画方法。
【請求項１２】
前記光ピックアップで、前記光ディスクの該光ピックアップが配置されている側のディスク基板表面または該データ記録層の、データ記録領域よりも内周側の領域に形成された描画可能ディスク識別マークを検出したことを条件に、該光ディスクの該描画層に対する前記可視画像の形成を許可する請求項１から９のいずれかに記載の光ディスク描画方法。
【発明の詳細な説明】
【技術分野】
【０００１】
この発明は、光ディスクの盤面に絵、文字等の可視画像の形成（描画）を行うための光ディスク描画方法に関し、１つのレーザダイオードから出射されるレーザ光で描画位置を制御して該レーザ光で描画を行えるようにしたものである。
【背景技術】
【０００２】
記録可能型ＣＤ、記録可能型ＤＶＤ等の光ディスクの盤面に感熱層、感光層等による描画層を形成し、該光ディスクのデータ記録層にデータ記録を行う光ディスク記録装置を光ディスク描画装置として兼用して、光ピックアップから、画像データに応じて変調したレーザ光を前記描画層に照射して、該描画層に描画を行う技術が下記特許文献１，２に開示されている。特許文献１記載の技術はデータ記録時の光ディスクの配置に対し、該光ディスクの表裏を反転して描画を行うものである。特許文献２記載の技術は１台の光ピックアップに２つのレーザダイオードを搭載し、それぞれから出射されるレーザ光（メインビーム）が同軸状になるようにしてあり、そのうちの第一のレーザダイオードから出射されるレーザ光でデータ記録層にデータ記録を行い、その際に該レーザ光でデータ記録層から位置情報を検出し、該検出された位置情報に基づいて、第二のレーザダイオードから出射されるレーザ光で描画層の所定位置に描画を行うものである。
【０００３】
【特許文献１】特開２００２−２０３３２１号公報
【特許文献２】特開２００５−３４６８８６号公報
【発明の開示】
【発明が解決しようとする課題】
【０００４】
特許文献１に記載の描画方法は、データ記録時の光ディスクの配置に対し、描画する際には該光ディスクを光ディスク装置から一旦排出し、その表裏を反転して光ディスク装置に再挿入しなければならないので操作が面倒であった。特許文献２記載の技術は光ディスクの表裏を反転することなくデータ記録と描画の双方を行える利点があるが、第一のレーザダイオードから出射されるレーザ光でデータ記録層から位置情報を検出し、第二のレーザダイオードから出射されるレーザ光で該検出された位置情報に基づいて所定位置に描画を行うので、描画を行うのに描画位置の制御用と描画用とで別々のレーザ光が必要であった。
【０００５】
この発明は、上記従来技術における欠点を解決して、１つのレーザダイオードから出射されるレーザ光で描画位置を制御して該レーザ光で描画を行えるようにした光ディスク描画方法を提供しようとするものである。
【課題を解決するための手段】
【０００６】
《ディスク回転方向の位置制御（請求項１）》
この発明の第１の光ディスク描画方法は、トラックが形成され該トラックに沿って所定の情報が記録されているデータ記録層と可視画像の形成が可能な描画層が積層形成され、同一面側からレーザ光を照射して、前記データ記録層に対するデータ記録と前記描画層に対する可視画像の形成を行えるように構成した光ディスクを使用し、その描画層に対して可視画像の形成を行う方法であって、前記光ディスクをスピンドルモータで回転駆動し、光ピックアップから出射されるレーザ光を再生パワーで前記データ記録層にフォーカス制御しかつ該データ記録層のトラックにトラッキング制御して該トラックに記録されている前記所定の情報を読み取り、該読み取られた所定の情報から該トラック上の所定位置を検出し、該検出された所定位置を回転方向の基準位置として前記スピンドルモータの回転方向位置を計測し、前記基準位置を検出した後に前記レーザ光のフォーカス制御対象を前記データ記録層から前記描画層に切り換え、適宜のディスク径方向位置で、前記計測されているスピンドルモータの回転方向位置に基づき、前記基準位置を基準とする該スピンドルモータの所定の回転方向位置から前記可視画像の形成動作を開始し、該可視画像の形成動作を開始した後は、前記スピンドルモータの回転に同期して前記光ピックアップをディスク径方向に順次移送して該可視画像の形成動作を進行させるようにしたものである。
【０００７】
この第１の光ディスク描画方法によれば、１つのレーザダイオードから出射されるレーザ光を用いて、トラック上の所定位置を基準とした所定の回転方向位置から可視画像の形成動作を開始することができる。そして、トラック上の所定位置を基準とした所定の回転方向位置から可視画像の形成動作を開始することができるので、光ディスクに対する可視画像の向きを制御することができる。したがって、例えば、光ディスクに描画した後、該光ディスクを光ディスク装置から排出し、その後該光ディスクを該光ディスク装置に再挿入して追加の描画（書き継ぎ、重ね書き等）を行う場合に、先に形成された画像と向きを合わせてまたはほぼ合わせて該追加の描画を行うことができる。また、追加の描画でなくても、トラック上の所定位置を回転方向の基準位置としてレーベル面の一部に文字や図形が予め印刷されている場合には、この図形と向きを合わせてまたはほぼ合わせて描画を行うことができる。
【０００８】
この第１の光ディスク描画方法において、前記基準位置を基準とするスピンドルモータの回転方向位置は、例えば該スピンドルモータから発生されるＦＧパルスのパルス数をカウントして計測することができる。この場合、スピンドルモータを回転数一定に制御して、前記トラック上の所定位置の検出タイミングと該検出タイミングに隣接して発生される前記ＦＧパルスの発生タイミングとの時間差を計測し、該時間差分を補正して前記スピンドルモータの回転方向位置を計測することにより、該トラック上の所定位置を基準とするスピンドルモータの回転方向位置を正確に計測することができる。
【０００９】
《ディスク径方向の位置制御１（請求項４）》
この発明の第２の光ディスク描画方法は、トラックが形成され該トラックに沿って所定の情報が記録されているデータ記録層と可視画像の形成が可能な描画層が積層形成され、同一面側からレーザ光を照射して、前記データ記録層に対するデータ記録と前記描画層に対する可視画像の形成を行えるように構成した光ディスクを使用し、その描画層に対して可視画像の形成を行う方法であって、前記光ディスクをスピンドルモータで回転駆動し、光ピックアップから出射されるレーザ光を再生パワーで前記データ記録層にフォーカス制御しかつ該データ記録層のトラックにトラッキング制御して該トラックに記録されている前記所定の情報を読み取り、該読み取られた所定の情報から該トラック上の所定位置を検出し、該検出された所定位置をディスク径方向の基準位置として前記光ピックアップのディスク径方向位置を計測し、前記基準位置を検出した後に前記レーザ光のフォーカス制御対象を前記データ記録層から前記描画層に切り換え、前記計測されている光ピックアップのディスク径方向位置に基づき、前記基準位置を基準とする該光ピックアップの所定のディスク径方向位置から前記可視画像の形成動作を開始し、該可視画像の形成動作を開始した後は、前記スピンドルモータの回転に同期して前記光ピックアップをディスク径方向に順次移送して該可視画像の形成動作を進行させるようにしたものである。前記基準位置を基準とする光ピックアップのディスク径方向位置は、例えば光ピックアップの送りモータの動作量に基づき計測することができる。
【００１０】
この第２の光ディスク描画方法によれば、１つのレーザダイオードから出射されるレーザ光を用いて、トラック上の所定位置を基準とした所定の径方向位置から可視画像の形成動作を開始することができる。
【００１１】
《ディスク回転方向の位置制御およびディスク径方向の位置制御１を組み合わせた位置制御（請求項６）》
この発明の第３の光ディスク描画方法は、トラックが形成され該トラックに沿って所定の情報が記録されているデータ記録層と可視画像の形成が可能な描画層が積層形成され、同一面側からレーザ光を照射して、前記データ記録層に対するデータ記録と前記描画層に対する可視画像の形成を行えるように構成した光ディスクを使用し、その描画層に対して可視画像の形成を行う方法であって、前記光ディスクをスピンドルモータで回転駆動し、光ピックアップから出射されるレーザ光を再生パワーで前記データ記録層にフォーカス制御しかつ該データ記録層のトラックにトラッキング制御して該トラックに記録されている前記所定の情報を読み取り、該読み取られた所定の情報から該トラック上の所定位置を検出し、該検出された所定位置を回転方向およびディスク径方向の基準位置として前記スピンドルモータの回転方向位置および前記光ピックアップのディスク径方向位置をそれぞれ計測し、前記基準位置を検出した後に前記レーザ光のフォーカス制御対象を前記データ記録層から前記描画層に切り換え、前記計測されているスピンドルモータの回転方向位置および光ピックアップのディスク径方向位置に基づき、前記基準位置を基準とする該スピンドルモータの所定の回転方向位置でかつ該基準位置を基準とする該光ピックアップの所定のディスク径方向位置から前記可視画像の形成動作を開始するようにしたものである。
【００１２】
この第３の光ディスク描画方法によれば、１つのレーザダイオードから出射されるレーザ光を用いて、光ディスクの所定位置を基準とした所定の回転方向位置でかつ該所定位置を基準とした所定の径方向位置から可視画像の形成動作を開始することができる。
【００１３】
《ディスク径方向の位置制御２（請求項７）》
この発明の第４の光ディスク描画方法は、トラックが形成され該トラックに沿って所定の情報が記録されているデータ記録層と可視画像の形成が可能な描画層が積層形成され、同一面側からレーザ光を照射して、前記データ記録層に対するデータ記録と前記描画層に対する可視画像の形成を行えるように構成した光ディスクを使用し、その描画層に対して可視画像の形成を行う方法であって、前記光ディスクをスピンドルモータで回転駆動し、光ピックアップから出射されるレーザ光を再生パワーで前記データ記録層にフォーカス制御しかつ該データ記録層のトラックにトラッキング制御して該トラックに記録されている前記所定の情報を読み取り、該読み取られた所定の情報から該トラック上の所定の描画動作開始位置を検出し、該描画動作開始位置を検出した前記光ピックアップのディスク径方向位置で前記レーザ光のフォーカス制御対象を前記データ記録層から前記描画層に切り換えて前記可視画像の形成動作を開始し、該可視画像の形成動作を開始した後は、前記スピンドルモータの回転に同期して前記光ピックアップをディスク径方向に順次移送して該可視画像の形成動作を進行させるようにしたものである。
【００１４】
この第４の光ディスク描画方法によれば、１つのレーザダイオードから出射されるレーザ光を用いて、所定の描画動作開始位置を検出した光ピックアップのディスク径方向位置から可視画像の形成動作を開始することができる。
【００１５】
《トラックピッチでの位置制御（請求項８）》
この発明の第５の光ディスク描画方法は、トラックが形成され該トラックに沿って位置情報が記録されているデータ記録層と可視画像の形成が可能な描画層が積層形成され、同一面側からレーザ光を照射して、前記データ記録層に対するデータ記録と前記描画層に対する可視画像の形成を行えるように構成した光ディスクを使用し、その描画層に対して可視画像の形成を行う方法であって、前記光ディスクをスピンドルモータで回転駆動し、光ピックアップから出射されるレーザ光を再生パワーで前記データ記録層にフォーカス制御しかつ該データ記録層のトラックにトラッキング制御して該データ記録層から前記位置情報を読み取り、所定の描画動作開始位置の位置情報が読み取られたディスク径方向位置で前記トラッキング制御をホールドして、前記レーザ光のフォーカス制御対象を前記データ記録層から前記描画層に切り換え、前記スピンドルモータの所定の回転方向位置から、該ディスク径方向位置に形成する可視画像の形成動作を実行し、該ディスク径方向位置について可視画像の形成動作を終了したら、前記レーザ光を再生パワーに設定し該レーザ光のフォーカス制御対象を前記描画層から前記データ記録層に戻して該レーザ光を該データ記録層のトラックにトラッキング制御し、前回トラッキング制御のホールドを開始したディスク回転方向位置に隣接するトラック位置で該トラッキング制御を再びホールドして該レーザ光のフォーカス制御対象を前記データ記録層から前記描画層に切り換え、前記スピンドルモータの前記所定の回転方向位置から、該径方向位置に形成する可視画像の形成動作を実行し、以後、以上の動作を繰り返し実行することにより、可視画像の形成動作を実行する径方向位置をトラックピッチで順次移動して該可視画像の形成を行うようにしたものである。
【００１６】
この第５の光ディスク描画方法によれば、１つのレーザダイオードから出射されるレーザ光で描画位置を制御してトラックピッチで描画を行うことができる。この第５の光ディスク描画方法においては、前記形成しようとする可視画像がディスク径方向の途中位置に可視画像の形成を要しないディスク径方向領域を有するものである場合には、該可視画像の形成動作実行中の径方向位置が該可視画像の形成を要しないディスク径方向領域の開始位置に到達したときに、前記レーザ光を再生パワーに設定しかつ該レーザ光のフォーカス制御対象を前記データ記録層に設定して、該データ記録層に記録されている前記位置情報から前記可視画像の形成を要しないディスク径方向領域の終了位置を経過した可視画像の形成動作再開位置をシークし、該可視画像の形成動作再開位置がシークされたディスク径方向位置で前記トラッキング制御をホールドして、前記レーザ光のフォーカス制御対象を前記データ記録層から前記描画層に切り換え、前記スピンドルモータの前記所定の回転方向位置から、該ディスク径方向位置に形成する可視画像の形成動作を実行し、前記トラックピッチでの可視画像の形成動作を再開することができる。
【００１７】
前記第１〜第５の光ディスク描画方法において、「所定の情報」あるいは「位置情報」としては、例えばＣＤフォーマットのＡＴＩＰ（Absolute Time in Pre-groove）、ＤＶＤ＋ＲフォーマットのＡＤＩＰ（Address In Pre-groove）、ＤＶＤ−Ｒフォーマットのランドプリピット等のプリフォーマット情報を用いることができる。また、第１セッションを記録済にし、第２セッション以降をユーザが記録できるように構成されているいわゆるハイブリッドＣＤ−Ｒディスクの場合はＡＴＩＰによる位置情報に代えて第１セッションのサブコードの位置情報を用いることもできる。また、ハイブリッドＣＤ−Ｒに対応するような記録可能型ＤＶＤであれば、記録済データ領域のＥＣＣブロックによる位置情報により基準位置を設定することもできる。
【発明を実施するための最良の形態】
【００１８】
《実施の形態１：第１〜第３の光ディスク描画方法の実施の形態》
この発明の実施の形態１を説明する。図１はこの発明が適用された光ディスク装置のシステム構成を示す。光ディスク装置１０において、光ディスク１２はデータ記録層と描画層が積層形成された記録・描画可能型光ディスクとして構成されたものである。描画層はレーザ光の照射により可視光特性が変化するもので、感熱材料、感光材料等で構成されている。この描画層は例えばデータ記録層と同じ色素材料で構成することができる。データ記録層にはトラックとしてウォブルグルーブが形成されている。描画層は描画専用に設けられた層のほか、既存の片面二層ＤＶＤ−Ｒ（＋Ｒ）等のように本来はデータ記録層として用意されている二層のうちの一層を描画層として転用することも可能である。光ディスク１２はスピンドルモータ１４で回転駆動され、光ピックアップ１６から出射される１本のレーザ光１８（メインビーム）でデータ記録、データ再生、描画が択一的に（非同時に）実行される。データ記録・再生時と描画時とで光ディスク１２の表裏を反転させる必要はない。データ記録層にはディスク周方向のデータ密度がディスク径方向位置にかかわらず一定となるように（つまり一定の線速度となるように）記録データが記録される。また、描画層には、１周あたりの画素数がディスク径方向位置にかかわらず一定となるように（すなわちディスク周方向の画素密度が内周側ほど高くなるように）描画が行われるものとする。
【００１９】
スピンドルサーボ２０はシステム制御部２２（マイコン）の指令に基づきスピンドルモータ１４の回転を制御する。スピンドルモータ１４は、データ記録時はＣＬＶ（線速度一定）制御またはＣＡＶ制御され、描画時はＣＡＶ制御される。スピンドルモータ１４からはＦＧパルスが１回転につき所定パルス数ずつ等角度間隔で出力される。ＦＧカウンタ２４はＦＧパルスのパルス数をカウントする。
【００２０】
光ピックアップ１６は、光ディスク１２の面と平行でかつディスク径方向に沿って（ディスク中心軸方向に向かって）固定配置された送りねじ２６に支持され、該送りねじ２６をステッピングモータ２８でそのねじ軸周り方向に回転駆動することによりディスク径方向に移送される。なお、データ記録および描画とも光ディスク１２の内周側から外周側に向けて実行される。
【００２１】
光ディスク１２の層構造例を図２〜図７を参照して説明する。図２〜図７の層構造はいずれも描画層を、データ記録層に対し、該描画層に描画された画像を目視する方向に近い側に配置し、該画像を視認しやすくしている。図２〜図７において光ピックアップ１６の対物レンズ３０から出射されるレーザ光１８は、描画層に合焦制御されて描画を行っているときの状態を示す。データ記録時およびデータ再生時はレーザ光１８はデータ記録層に合焦制御される。なお、図２〜図７では、共通する部分には同一の符号を用いる。また、データ記録層を「Ａ」、描画層を「Ｂ」、データ記録層Ａのグルーブを「Ｃ」でそれぞれ表す。
【００２２】
〈光ディスクの層構造例１：図２〉
図２の光ディスク１２は既存の片面二層ＤＶＤ−Ｒ（＋Ｒ）である。この光ディスク１２は０．６ｍｍ厚のポリカーボネート基板３２のグルーブ３４が形成されている表面に描画層Ｂとしての色素層３６、半透明反射層３８、スペーサを構成する透明樹脂による中間層４０、データ記録層Ａとしての色素層４４、反射層４６が順次積層されている。中間層４０の上面にはスタンパーによりグルーブＣ（４２）が形成されている。反射層４６の上には接着層４８により０．６ｍｍ厚のポリカーボネート基板５０が接合されている。これにより、光ディスク１２は全体が１．２ｍｍ厚（ポリカーボネート基板３２，５０間に挟まれた積層体全体の厚さは微小）に一体化されている。色素層３６は本来のＤＶＤ−Ｒ（＋Ｒ）としての用途ではデータ記録層を構成するものであるが、ここでは描画層Ｂとして使用する。グルーブ３４，Ｃ（４２）には予めランドプリピット、ＡＤＩＰ等の位置情報がそれぞれ記録されている。データ記録を行うときは、光ピックアップ１６の対物レンズ３０から出射されるＤＶＤ用レーザ光１８をデータ記録層Ａに合焦制御する。描画を行うときは、該ＤＶＤ用レーザ光１８を描画層Ｂに合焦制御する。描画層Ｂに描画された可視画像は、光ディスク１２のレーザ光１８が入射される側の面（「レーザ入射面」という）１２ａ側から目視することができる。光ディスク１２のレーザ入射面１２ａと反対側の面（「レーベル面」という）１２ｂの表面には別の画像を予め印刷した（またはユーザが印刷可能な）印刷層を別途形成することができる。
【００２３】
〈光ディスクの層構造例２：図３〉
図３の光ディスク１２は片面一層のＤＶＤ−Ｒ（＋Ｒ）に描画層を追加形成したものである。この光ディスク１２は０．６ｍｍ厚のポリカーボネート基板３２のグルーブＣ（３４）が形成されている表面にデータ記録層Ａとしての色素層３６、半透明反射層３８、スペーサを構成する透明樹脂による中間層４０、描画層Ｂとしての色素層４４、半透明反射層５２が順次積層されている。半透明反射層５２の上には透明接着層５４により０．６ｍｍ厚のポリカーボネート基板５０が接合されている。これにより、光ディスク１２は全体が１．２ｍｍ厚（ポリカーボネート基板３２，５０間に挟まれた積層体全体の厚さは微小）に一体化されている。グルーブＣには予めランドプリピット、ＡＤＩＰ等の位置情報が記録されている。データ記録を行うときは、光ピックアップ１６の対物レンズ３０から出射されるＤＶＤ用レーザ光１８をデータ記録層Ａに合焦制御する。描画を行うときは、該ＤＶＤ用レーザ光１８を描画層Ｂに合焦制御する。描画層Ｂに描画された可視画像は、光ディスク１２のレーベル面１２ｂ側から目視することができる。
【００２４】
〈光ディスクの層構造例３：図４〉
図４の光ディスク１２は片面一層のＤＶＤ−Ｒ（＋Ｒ）に描画層を追加形成したものである。図３の光ディスク１２とは描画された可視画像の目視方向が異なるものである。すなわち、図４の光ディスク１２は、グルーブを有しない０．６ｍｍ厚のポリカーボネート基板３２の表面に描画層Ｂとしての色素層３６、半透明反射層３８、スペーサを構成する透明樹脂による中間層４０、データ記録層Ａとしての色素層４４、反射層４６が順次積層されている。中間層４０の上面にはスタンパーによりグルーブＣ（４２）が形成されている。反射層４６の上には接着層４８により０．６ｍｍ厚のポリカーボネート基板５０が接合されている。これにより、光ディスク１２は全体が１．２ｍｍ厚（ポリカーボネート基板３２，５０間に挟まれた積層体全体の厚さは微小）に一体化されている。グルーブＣには予めランドプリピット、ＡＤＩＰ等の位置情報が記録されている。データ記録を行うときは、光ピックアップ１６の対物レンズ３０から出射されるＤＶＤ用レーザ光１８をデータ記録層Ａに合焦制御する。描画を行うときは、該ＤＶＤ用レーザ光１８を描画層Ｂに合焦制御する。描画層Ｂに描画された可視画像は、光ディスク１２のレーザ入射面１２ａ側から目視することができる。レーベル面１２ｂの表面には別の画像を予め印刷した（またはユーザが印刷可能な）印刷層を別途形成することができる。
【００２５】
〈光ディスクの層構造例４：図５〉
図５の光ディスク１２は片面二層ＣＤ−Ｒとして構成したものである。この光ディスク１２は１．２ｍｍ厚のポリカーボネート基板５６のグルーブＣ（５８）が形成されている表面にデータ記録層Ａとしての色素層６０、半透明反射層６２、スペーサを構成する透明樹脂による中間層６４、描画層Ｂとしての色素層６８、半透明反射層７０、透明保護層７２を順次積層して、全体を１．２ｍｍ厚（ポリカーボネート基板５６上の積層体全体の厚さは微小）に一体化したものである。中間層６４の上面にはスタンパーによりグルーブ６６が形成されている。色素層６８は本来のＣＤ−Ｒとしての用途ではデータ記録層を構成するものであるが、ここでは描画層Ｂとして使用する。グルーブＣ（５８），６６には予めＡＴＩＰ等の位置情報がそれぞれ記録されている。データ記録を行うときは、光ピックアップ１６の対物レンズ３０から出射されるＣＤ用レーザ光１８をデータ記録層Ａに合焦制御する。描画を行うときは、該ＣＤ用レーザ光１８を描画層Ｂに合焦制御する。描画層Ｂに描画された可視画像は、光ディスク１２のレーベル面１２ｂ側から目視することができる。
【００２６】
〈光ディスクの層構造例５：図６〉
図６の光ディスク１２はＣＤ−Ｒに描画層を追加形成したものである。この光ディスク１２は１．２ｍｍ厚のポリカーボネート基板５６のグルーブＣ（５８）が形成されている表面にデータ記録層Ａとしての色素層６０、半透明反射層６２、スペーサを構成する透明樹脂による中間層６４、描画層Ｂとしての色素層６８、半透明反射層７０、透明保護層７２を順次積層して、全体を１．２ｍｍ厚（ポリカーボネート基板５６上の積層体全体の厚さは微小）に一体化したものである。グルーブＣには予めＡＴＩＰ等の位置情報が記録されている。データ記録を行うときは、光ピックアップ１６の対物レンズ３０から出射されるＣＤ用レーザ光１８をデータ記録層Ａに合焦制御する。描画を行うときは、該ＣＤ用レーザ光１８を描画層Ｂに合焦制御する。描画層Ｂに描画された可視画像は、光ディスク１２のレーベル面１２ｂ側から目視することができる。
【００２７】
〈光ディスクの層構造例６：図７〉
図７の光ディスク１２はＣＤ−Ｒに描画層を追加形成したものである。図６の光ディスク１２とは描画された可視画像の目視方向が異なるものである。すなわち、図７の光ディスク１２は、グルーブを有しない１．２ｍｍ厚のポリカーボネート基板５６の表面に描画層Ｂとしての色素層６０、半透明反射層６２、スペーサを構成する透明樹脂による中間層６４、データ記録層Ａとしての色素層６８、反射層７４、保護層７６を順次積層して、全体を１．２ｍｍ厚（ポリカーボネート基板５６上の積層体全体の厚さは微小）に一体化したものである。グルーブＣには予めＡＴＩＰ等の位置情報が記録されている。データ記録を行うときは、光ピックアップ１６の対物レンズ３０から出射されるＣＤ用レーザ光１８をデータ記録層Ａに合焦制御する。描画を行うときは、該ＣＤ用レーザ光１８を描画層Ｂに合焦制御する。描画層Ｂに描画された可視画像は、光ディスク１２のレーザ入射面１２ａ側から目視することができる。レーベル面１２ｂの表面には別の画像を予め印刷した（またはユーザが印刷可能な）印刷層を別途形成することができる。
【００２８】
図１に戻り、モータドライバ８６はステッピングモータ２８に駆動パルスを印加して、その駆動パルス数に応じた移動量だけ光ピックアップ１６をディスク径方向に移送する。駆動パルスカウンタ８７はステッピングモータ２８の駆動パルスのパルス数をその駆動方向に応じてアップ／ダウンカウントして、光ピックアップ１６の径方向移動量を計測する。なお、ＦＧカウンタ２４、駆動パルスカウンタ８７とも、システム制御部２２内に設定されたソフトウェアによるカウンタで実現することもできる。フォーカスサーボ８８は光ピックアップ１６のフォーカス制御を行う。フォーカスジャンプ信号発生器９０は光ピックアップ１６のフォーカス制御対象をデータ記録層Ａから描画層Ｂへ、また描画層Ｂからデータ記録層Ａへ切り換えるためのフォーカスジャンプ信号（ジャンプパルス）を発生する。このフォーカスジャンプ信号を用いたフォーカス制御対象層の切り換えは、片面二層ＤＶＤまたは両面二層ＤＶＤの記録・再生における周知のフォーカス制御対象層の切り換え手法を用いて実現することができる。
【００２９】
トラッキングサーボ９２は光ピックアップ１６のトラッキング制御を行う。なお、描画時は光ディスク１２の描画層Ｂに対するトラッキング制御は描画層Ｂがグルーブを有するか否かにかかわらずホールド（トラッキングアクチュエータに印加するトラッキング駆動信号値をその直前の値に保持する動作）またはオフ（トラッキングアクチュエータに印加するトラッキング駆動信号値を０にする動作）され（つまり描画層Ｂがグルーブを有していても該グルーブを描画に利用しない）、代わりに光ディスク１２の回転に同期してステッピングモータ２８を駆動することにより光ピックアップ１６を所定ピッチでディスク径方向に順次移送する。このとき光ピックアップ１６のディスク径方向移動量はステッピングモータ２８の駆動パルスのパルス数を駆動パルスカウンタ８７でカウントすることにより検出される。このように、描画時の光ピックアップ１６のディスク径方向への移送制御をトラッキング制御に頼らずに、光ディスク１２の回転に同期したステッピングモータ２８の駆動によって行うことにより、光ディスク１２の描画層Ｂがグルーブを有するかどうかにかかわらず描画を行うことができる。また、描画層Ｂにグルーブがあっても（例えば前出の図２のデータ記録層３６を転用した描画層Ｂのグルーブ３４、図５のデータ記録層６８を転用した描画層Ｂのグルーブ６６）、該グルーブに無関係に（つまり追従しないで）描画を行うので、画素を配置する径方向間隔はグルーブの径方向間隔（トラックピッチ）に無関係に独自に設定することができ、画像データ｛画素データ（描画する画素ごとの階調を表すデータ）の集合で構成される｝の作成の自由度が得られる。
【００３０】
振動信号発生器９４は描画時に振動信号を発生し、該振動信号を光ピックアップ１６のトラッキングアクチュエータに印加して対物レンズ３０（図２〜図７）を振動させて、レーザ光１８を光ディスク１２の径方向に微小振動させる。この振動動作によりレーザ光１８はディスク回転に伴って光ディスク１２の描画層Ｂを蛇行しながらディスク周方向に移動し、同一径方向位置でレーザ光１８を複数回数ずつ周回させながら光ピックアップ１６を所定の微小ピッチずつ外周方向に順次移動させて描画を行うことにより、径方向に隙間の少ない画像を形成することができる。なお、同一径方向位置でレーザ光１８を複数回数ずつ周回させて描画を行う手法は、本出願人の出願に係る特開２００４−５８４７号公報、特開２００４−５８４８号公報等に詳しい記載がある。
【００３１】
レーザドライバ９６は光ピックアップ１６内のレーザダイオード（図示せず）を駆動する。ＡＬＰＣ（Automatic Laser Power Control）回路９８は光ピックアップ１６から出射するレーザ光１８のパワーをシステム制御部２２で指令された値に制御する。
【００３２】
エンコーダ１０６はデータ記録時には記録データを所定のフォーマットにエンコードする。レーザドライバ９６はこのエンコードされた記録データに応じて光ピックアップ１６から出射するレーザ光１８を変調し、該記録データを光ディスク１２のデータ記録層Ａにピットとして記録する。エンコーダ１０６は描画時には、１画素あたりの周期が一定（後述する図９の１画素分の角度Δθに相当する時間）で画像データを構成する各画素の階調データに応じてデューティが変化するパルス信号（描画パルス）を生成する。レーザドライバ９６はこのデューティが変化するパルス信号に応じて光ピックアップ１６から出射するレーザ光１８を変調し、光ディスク１２の描画層Ｂの可視光特性を変化させる。描画された１つの画素は人の目には１つの点（ドット）として認識され、また各ドットのデューティの違いは人の目には描画の濃度の違いとして感じられる（デューティが高いほど濃い描画として感じられる）ので、これによりモノクロ多階調による描画が実現される。
【００３３】
ホスト機器（ホストコンピュータ）１００は、データ記録時は記録データを、描画時は画像データを光ディスク装置１０に送信する。送信された記録データまたは画像データは、光ディスク装置１０のインタフェース１０２で受信され、バッファメモリ１０４に一旦蓄えられられた後、該バッファメモリ１０４から読み出されエンコーダ１０６に供給されて前述したエンコード処理がなされてデータ記録または描画に供される。データ再生時は、デコーダ（図示せず）で再生されたデータはインタフェース１０２を介してホスト機器１００に転送される。ホスト機器１００はまたデータ記録およびデータ再生時並びに描画時に、操作者による指令を光ディスク装置１０に伝達する。この指令はインタフェース１０２を介してシステム制御部２２に伝達される。システム制御部２２は該指令に応じた指令を光ディスク装置１０内の各回路に送り、該当する動作を実行させる。
【００３４】
図１の光ディスク装置１０による光ディスク１２のデータ記録時および描画時の制御を説明する。光ディスク１２として例えば図２〜図７等の構造のものを使用し、そのデータ記録層Ａにデータ記録を行い、描画層Ｂに描画を行うものとする。図８にデータ記録時の制御フローを示す。この制御は、使用者によるデータ記録実行指示に基づき実行される。ホスト機器１００には予めデータ記録用の記録データが格納されている。光ディスク装置１０に光ディスク１２が挿入され、使用者によりデータ記録実行指示が与えられると、スピンドルモータ１４が回転駆動され、フォーカスサーボ８８がオンされ、光ピックアップ１６から出射されるレーザ光１８は再生パワーで光ディスク１２のデータ記録層Ａに合焦制御される（Ｓ１）。さらに、トラッキングサーボ９２がオンされ（Ｓ２）、レーザ光１８はデータ記録層ＡのグルーブＣに追従制御される。スピンドルサーボ２０はトラッキングエラー信号から抽出されるグルーブＣのウォブル成分が所定の周波数となるようにスピンドルモータ１４を制御する。これにより、光ディスク１２はレーザ光１８の照射位置で所定の線速度となるように回転制御してデータ記録（ＣＬＶ制御によるＣＬＶ記録）される。あるいは、スピンドルモータ１４を所定回転数でＣＡＶ制御してデータ記録（ＣＡＶ制御によるＣＬＶ記録）を行うこともできる。このＣＬＶ制御あるいはＣＡＶ制御された状態で光ピックアップ１６により光ディスク１２の位置情報（ＡＴＩＰ、ＡＤＩＰ、ランドプリピット等）が読み取られ、ステッピングモータ２８を駆動して、光ピックアップ１６はディスク内周側の所定のデータ記録開始半径位置に位置決めされる。
【００３５】
以上でデータ記録の準備が整うと、ホスト機器１００から記録データの送出が開始される。この記録データはインタフェース１０２を介してバッファメモリ１０４に一旦蓄えられた後、バッファメモリ１０４からＣＬＶ制御の一定ディスク線速度に対応した一定データ速度で、またはＣＡＶ制御による記録位置での線速度に応じた可変データ速度（ウォブル信号に同期したデータ速度であり、外周ほど速くなる）で順次読み出されてエンコーダ１０６でエンコードされ、ＡＬＰＣ回路９８を介してレーザドライバ９６を駆動する。これにより、光ピックアップ１６からは記録データで再生パワーと記録パワーの２値に変調されたレーザ光１８が出射され、光ディスク１２のデータ記録層Ａに対するデータ記録が開始される（Ｓ３）。その後データ記録が進んで、データ記録が終了すると（Ｓ４）、制御が終了する。
【００３６】
次に、描画時の制御を説明する。はじめに、この実施の形態において光ディスク１２の描画層Ｂに描画する１枚の画像を構成する画素の配列について説明する。該画素の配列を図９に模式的に示す（前述した振動動作による蛇行は考慮せず）。符号１２ｃは中心穴を示す。１枚の画像を構成する画素Ｐ１１，Ｐ１２，・・・，Ｐｍｎは光ディスク１２の中心点を中心に同心円状に配列される。画素の径方向の配列間隔Δｒは一定である。画素の周方向の配列間隔（角度）Δθは一定であり、したがって１周あたりの画素数は径方向位置にかかわらず一定である。光ディスク１２の放射方向に延びる仮想的な半直線を画像基準角度線１１として定める。各径方向位置で円状に配列された画素列は画像基準角度線１１上の画素Ｐ１１，Ｐ２１，・・・，Ｐｍ１を先頭の画素としてそれぞれ円周方向に配列されている。なお、描画する側（レーザ入射面１２ａ側）から見た画像とレーベル面１２ｂ側から見た画像は表裏が反転するので、描画された画像を光ディスク１２のレーベル面１２ｂ側から目視する場合（図３、図５、図６のディスク層構造の場合）は、描画する画像の原図は表裏を反転して用い、目視する側（レーベル面１２ｂ側）から見て表裏が正しく表示されるように描画する。
【００３７】
レーザ光１８による描画動作は光ディスク１２をＣＡＶ（回転数一定）制御して内周側から順次外周側に向けて実行される。すなわち、描画動作は最内周の画素列の先頭の画素Ｐ１１から開始され、Ｐ１２，Ｐ１３，・・・と順次進行し、最内周の最後の画素Ｐ１ｎが描画されたら光ピックアップ１６をすぐに（または、前述のように同一径方向位置でレーザ光１８を複数回（ｋ回）周回させて描画する場合はその周回数ｋごとに）距離Δｒ外周方向に移動してＰ２１，Ｐ２２，・・・と進行していく。以後、１周（またはｋ周）ごとに画像基準角度線１１の直前位置で光ピックアップ１６を距離Δｒ外周方向に移動しながら描画を進行させ、最外周の最後の画素Ｐｍｎまで描画されたら全工程を終了し、光ディスク１２の描画が完成する。このように描画は各周（またはｋ周）ごとに画像基準角度線１１の直前位置で順次外周方向に移動しながら連続的に行われるので、ｍ周回（またはｋ×ｍ周回）で描画が完了する。この場合、光ディスク１２をＣＡＶ制御で回転し、この光ディスク１２の回転に同期して一定速度で各画素データ（階調データ）をエンコード｛階調データに応じてデューティが変化する所定周期（１画素分の角度Δθに相当する周期）のパルス信号（描画パルス）を生成｝して描画を行うので、先頭の画素Ｐ１１が画像基準角度線１１上に描画されるように先頭のタイミングを合わせさえすれば、後続する画素Ｐ１２，Ｐ１３，・・・，Ｐｍｎは自動的に所定位置に描画されることになる。
【００３８】
描画時にレーザ光１８のレーザパワーは例えば図１０に示すように変化する。すなわち、レーザ光１８は、描画パルスにより、１画素あたりの描画割り当て時間が１画素分の角度Δθに相当する時間で一定で、かつ該各画素の階調データに応じたデューティで再生パワー（非描画パワー）と記録パワー（描画パワー）の２値に変化する。記録パワーで描画層Ｂの可視光特性が変化して描画が行われる。また、再生パワー時にフォーカスエラーが検出され、該検出されるフォーカスエラーの基づきフォーカス制御が行われる。なお、図１０では説明の簡略化のために１画素あたりの描画パルス数を１パルスとして示したが、実際には本出願人の出願に係る特開２００４−３５５７６４公報に記載されているように、描画パルスをより周期の短いＥＦＭ信号で構成して、１画素あたり複数個のパルスで描画することができる。この場合、図１０の各記録パワーの期間がＥＦＭ信号で変調される（短いパルスに分割される）ことになるが、ＥＦＭ信号の平均のデューティは５０％で一定であるので、１画素あたりの描画パルスのデューティ（分割パルスを合計したデューティ）は各画素の階調データに応じた値となり、これにより各画素の階調データに応じた描画が実現される。
【００３９】
図１１に描画時の制御フローを示す。この制御は、使用者による描画実行指示に基づき実行される。ホスト機器１００には予め描画用の画像データが格納されている。光ディスク装置１０に光ディスク１２が挿入され（あるいはデータ記録の終了に引き続いて）、使用者により描画実行指示が与えられると、スピンドルモータ１４が回転駆動され、フォーカスサーボ８８がオンされ、光ピックアップ１６から出射されるレーザ光１８は再生パワーで光ディスク１２のデータ記録層Ａに合焦制御される（Ｓ１０）。さらに、トラッキングサーボ９２がオンされ（Ｓ１１）、レーザ光１８はデータ記録層ＡのグルーブＣに追従制御される。スピンドルモータ１４をＣＬＶ制御またはＣＡＶ制御で回転駆動して、光ピックアップ１６でデータ記録層Ａから基準位置として予め定められた位置を検出する。
【００４０】
図１２は基準位置の設定例を示す。この図はデータ記録層ＡのグルーブＣに記録されたプリフォーマット情報としてＡＴＩＰ（ＣＤフォーマットの場合）、ＡＤＩＰ（ＤＶＤ＋Ｒフォーマットの場合）、ランドプリピット（ＤＶＤ−Ｒフォーマットの場合）による位置情報（セクタ番号）を模式的に示したものである。この例では、セクタ番号を便宜的に簡単な整数で表しており、セクタ“０”とセクタ“１”の境界位置を基準位置１０８として定めている。なお、第１セッションを記録済にし、第２セッション以降をユーザが記録できるように構成されているいわゆるハイブリッドＣＤ−Ｒディスクの場合はＡＴＩＰによる位置情報に代えて第１セッションのサブコードの位置情報により基準位置を設定することができる。また、ハイブリッドＣＤ−Ｒに対応するような記録可能型ＤＶＤであれば、記録済データ領域のＥＣＣブロックによる位置情報により基準位置を設定することができる。
【００４１】
基準位置１０８を通りディスク放射方向に延びる仮想的な半直線を基準角度線１１０として定める。基準角度線１１０は図１３に示すようにデータ記録層Ａと描画層Ｂとで同じ位置にあり、描画はこの基準角度線１１０を回転方向の基準位置として実行される。すなわち、光ピックアップ１６でセクタ“０”の手前をシークし（図１１のＳ１２）、セクタ“０”に続いてセクタ“０”とセクタ“１”の境界位置すなわち基準位置１０８を検出したら（Ｓ１３）、ＦＧカウンタ２４（図１）のカウント値をリセット（“０”にセット）し（Ｓ１４）、該基準位置１０８からＦＧカウンタ２４によるＦＧパルスのカウントを開始する。ＦＧカウンタ２４は１回転に相当する値に達するごとにカウント値が“０”に自動的に戻されて、カウントを繰り返す。これにより、ＦＧカウンタ２４のカウント値は周回ごとに基準角度線１１０からの回転角度位置に対応したものとなる。すなわち、基準位置１０８を一度検出した後は、再度基準位置１０８の検出を行うことなく周回ごとに基準角度線１１０からの回転角度位置をＦＧカウンタ２４のカウント値で知ることができる。このＦＧカウンタ２４のカウント動作は描画が終了するまで続行される。このようにしてＦＧカウンタ２４によるＦＧパルスのカウントを繰り返した状態で、スピンドルモータ１４は描画時の速度として定められた所定回転数にＣＡＶ制御される。このＣＡＶ制御は描画が終了するまで続行される。
【００４２】
また、基準位置１０８が検出されると（Ｓ１３）、駆動パルスカウンタ８７（図１）のカウント値もリセット（“０”にセット）され（Ｓ１４）、駆動パルスカウンタ８７は基準位置１０８からステッピングモータ２８の駆動パルスのカウントを開始する。これにより、基準位置１０８からの光ピックアップ１６の径方向移動量を駆動パルスカウンタ８７のカウント値で知ることができる。
【００４３】
基準位置１０８が検出されると、光ピックアップ１６のトラッキング制御はオフ（またはホールド）され（Ｓ１５）、ステッピングモータ２８による光ピックアップ１６の移動も停止される。この状態で光ピックアップ１６のレーザ光１８を再生パワーに保持したまま、該光ピックアップ１６のフォーカスアクチュエータにフォーカスジャンプ信号を印加して、レーザ光１８の合焦位置をデータ記録層Ａから描画層Ｂに移動すなわちフォーカスジャンプさせる（Ｓ１６）。図１４はこのフォーカスジャンプの様子を示す。これは光ディスク１２が下層側にデータ記録層Ａを配置し上層側に描画層Ｂを配置した例えば図３の構造のＤＶＤ−Ｒ（＋Ｒ）を使用した場合のものである。レーザ光１８をデータ記録層Ａに合焦させた図１４（ａ）の状態で基準位置１０８を検出したら、レーザ光１８を上方にフォーカスジャンプさせて描画層Ｂに合焦させる。下層側に描画層Ｂを配置し上層側にデータ記録層Ａを配置したタイプの光ディスクであれば、逆にレーザ光１８を下方にフォーカスジャンプさせる。
【００４４】
レーザ光１８を描画層Ｂに合焦制御させた状態で、ステッピングモータ２８を駆動して光ピックアップ１６を所定の描画動作開始径方向位置に移動させる（Ｓ１７）。描画動作開始径方向位置は基準位置１０８からの光ピックアップ１６の径方向移動量で指示することができる。基準位置１０８からの光ピックアップ１６の径方向移動量は駆動パルスカウンタ８７のカウント値で計測されるので、駆動パルスカウンタ８７のカウント値が描画動作開始径方向位置として指示された光ピックアップ１６の径方向移動量に相当する値に達した位置でステッピングモータ２８の駆動を停止することにより、光ピックアップ１６を該指示された描画動作開始径方向位置に到達させることができる。ここで、「描画開始径方向位置」でなく「描画動作開始径方向位置」と言ったのは、「描画動作」が開始されても、画像データの内容によっては必ずしもその位置からすぐに「描画」（描画層Ｂの可視光特性の変化）が開始されるわけではないからである。すなわち、描画動作を開始する位置に描画する画素の濃度が０（白）である場合には、「描画動作」が開始されてもその位置では描画層Ｂの可視光特性に変化を生じさせる「描画」は行われない。濃度が０よりも大きい画素を描画する位置が到来して初めて「描画」が開始される。
【００４５】
以上で描画の準備が整うと、ホスト機器１００から画像データの送出が開始される。画像データはインタフェース１０２を介してバッファメモリ１０４に一旦蓄えられた後、バッファメモリ１０４からディスク回転数に同期した一定速度で順次読み出されてエンコーダ１０６でエンコードされ、ＦＧカウンタ２４のカウント値が“０”に戻るタイミング（すなわちレーザ光１８が基準角度線１１０上に来るタイミング）に合わせて（Ｓ１８）先頭の画像データから順次出力され（図９の例で言えば、画素Ｐ１１，Ｐ１２，・・・，Ｐ１ｎ，Ｐ２１，Ｐ２２，・・・Ｐ２ｎ，・・・・・・，Ｐｍｎの順に出力される）、ＡＬＰＣ回路９８を介してレーザドライバ９６を駆動する。これにより、光ピックアップ１６からは画像データで再生パワー（非描画パワー）と記録パワー（描画パワー）の２値に変調されたレーザ光１８が出射され、光ディスク１２の描画層Ｂに対する描画動作（１周あたりの画素数がディスク径方向位置にかかわらず一定の描画）が開始される（Ｓ１９）。描画動作が開始されると、ディスク回転に同期してステッピングモータ２８を駆動して（１周またはｋ周ごとに１ステップずつ駆動する（Ｓ２０））、光ピックアップ１６を所定の微小ピッチ（図９の距離Δｒ）ずつ外周方向に順次移動させて（Ｓ２１）描画を進行させる。描画中もステッピングモータ２８の駆動パルス数の計数は続行され、基準位置１０８からの光ピックアップ１６のディスク径方向位置の計測が続けられる。その後描画が進行して、駆動パルスカウンタ８７のカウント値が描画動作終了径方向位置として指示された位置（基準位置１０８からの光ピックアップ１６の径方向移動量）に相当する値に達すると（Ｓ２２）、描画動作は終了する（Ｓ２３）。
【００４６】
図１５は以上説明した図１１の描画制御により光ディスク１２の描画層Ｂに描画された可視画像１１１の一例を示す。この可視画像１１１は光ディスク１２が図２、図４、図７の層構造の場合はレーザ入射面１２ａ側から目視することができ、図３、図５、図６の層構造の場合はレーベル面１２ｂ側から目視することができる。図１５の可視画像１１１は半径Ｒ０が描画動作開始径方向位置、半径Ｒ１が描画動作終了半径方向位置である。符号１２ｃは中心穴を示す。図１５の例では、描画する画像の向きを図９の画像基準角度線１１の向きに合わせて画像データ（図９の画素データの集合）を作成しており、しかもＦＧカウンタ２４で計測される基準角度線１１０のタイミングを基準に描画動作を開始している（図９の最初の画素Ｐ１１が光ディスク１２の基準角度線１１０上に描画される）ので、光ディスク１２の基準角度線１１０に向きを合わせて可視画像１１１が描画されている。
【００４７】
この実施の形態１によれば、データ記録と描画とで光ディスク１２の表裏を反転する操作をする必要がないので、面倒な反転操作が不要になる。また、反転操作が不要なので、データ記録を終了してから描画動作を開始するまでの時間を短縮することができる。また、光ピックアップ１６による基準位置１０８の検出に基づいて基準角度線１１０を定め、この定められた基準角度線１１０を基準に光ピックアップ１６で描画を行うので、基準角度線１１０の方向に向きにほぼ合わせて可視画像を形成することができる。また、基準位置１０８はデータ記録層Ａにあるので、描画層Ｂに基準位置としてのマーク等を設けなくて済み、その分描画領域を広く確保することができる。なお、以上の説明ではセクタ“０”とセクタ“１”の境界位置を基準位置１０８として設定したが、データ記録層ＡのグルーブＣ上の任意の位置を基準位置として設定することができる。
【００４８】
《実施の形態１の変形例１》
実施の形態１では光ディスク１２のデータ記録層Ａの所定の基準位置１０８（セクタ“０”とセクタ“１”の境界位置）でＦＧカウンタ２４を一旦リセットし、その後発生されるＦＧパルスをＦＧカウンタ２４でカウントし、該カウント値が１回転に相当する値に達するごとに該カウント値を“０”に戻すことにより、周回ごとに基準角度線１１０からの回転角度位置を計測するようにした。しかし、この方法ではＦＧパルスの分解能が低い場合（１回転あたりのＦＧパルス数が少ない場合）場合には、データ記録層Ａの基準角度線１１０とＦＧパルスの発生位置とのずれ角（オフセット角度）が大きくなる可能性がある。そして、実施の形態１では描画中はＦＧパルスの発生位置を基準角度線１１０の位置と見なして描画するので、このオフセット角度は基準角度線１１０の方向に対する描画された画像の向きのずれとして現れる。このため、オフセット角度が大きい場合には、例えば光ディスク１２に描画した後、光ディスク１２を光ディスク装置１０から排出し、その後光ディスク１２を光ディスク装置１０に再挿入して追加の描画（書き継ぎ、重ね書き等）を行うと、先に形成された画像と追加された画像とで画像の向きに目立つずれが生じるおそれがある。
【００４９】
基準角度線１１０の方向に対する描画された画像の向きのずれを小さくするための手法を説明する。これは、ＦＧパルスのカウントとシステム制御部２２のソフトウェアによるカウントを併用して基準角度線１１０の検出分解能を高めたものである。この手法は、図１１の制御において、ステップＳ１３〜Ｓ１４を図１６の制御（基準角度線１１０の検出工程）に置き換え、ステップＳ１８を図１８の制御（基準角度線１１０からの描画工程）に置き換えたものである。図１１の制御の一部をこのように置き換えた場合の一連の制御について説明する。
【００５０】
図１１において、光ディスク装置１０に光ディスク１２が挿入されると（あるいはデータ記録の終了に引き続いて）、スピンドルモータ１４が回転駆動され、フォーカスサーボ８８がオンされ、光ピックアップ１６から出射されるレーザ光１８は再生パワーで光ディスク１２のデータ記録層Ａに合焦制御される（Ｓ１０）。さらに、トラッキングサーボ９２がオンされ（Ｓ１１）、レーザ光１８はデータ記録層ＡのグルーブＣに追従制御される。スピンドルモータ１４を描画時の速度として定められた所定回転数にＣＡＶ制御する。このＣＡＶ制御は描画が終了するまで続行される。この状態で、光ピックアップ１６でデータ記録層Ａから基準位置として予め定められた位置（セクタ“０”とセクタ“１”の境界位置）を検出するためにセクタ“０”の手前をシークする（Ｓ１２）。
【００５１】
続いて、図１６に移行する。なお、図１６の制御による動作例を図１７に示す。図１７の動作例では、ＦＧパルスは図１７（ａ）に示すように１回転につき６パルス発生するものとしている。ＦＧカウンタ２４は図１７（ｂ）に示すようにＦＧパルスの立ち上がりエッジでカウントアップされる。図１７（ｃ）はソフトウェアによるカウンタ（「Ｃカウンタ」という）のカウント値で、水晶発振クロック等に基づく基準クロックによりカウントアップされる。この基準クロックの周期ΔＴ１はＦＧパルスの周期よりも短いもので、ＦＧパルスの１周期内に複数パルス（図１７の例では約４パルス）発生される。基準クロックの周期ΔＴ１を短くするほど基準角度線１１０の検出分解能を高めることができる。
【００５２】
図１６の制御を図１７を参照しながら説明する。この制御フローで「Ｃ」はＣカウンタのカウント値を表す。図１１のステップＳ１２に続きＣカウンタを初期リセットする（図１６のＳ３０）。Ｃカウンタは基準クロックにより時間ΔＴ１ごとにカウントアップされ（Ｓ３３，Ｓ３４）、ＦＧパルスの立ち上がりエッジが検出される（Ｓ３２）ごとに“０”にリセットされる（Ｓ３５。図１７（ｃ）参照）。セクタ“０”の手前をシークし（図１１のＳ１２）、セクタ“０”に続いてセクタ“０”とセクタ“１”の境界位置すなわち基準位置１０８が検出されると（図１６のＳ３１）、ＦＧカウンタ２４が“０”にリセットされ（Ｓ３６）、そのときのＣカウンタのカウント値Ｃ（図１７（ｃ）の例ではＣ＝２）が直前のＦＧパルスの立ち上がりエッジからの基準位置１０８のオフセット値Ｃ０としてシステム制御部２２内のメモリに記憶される（Ｓ３７）。これ以降もディスク回転が描画時の速度として定められた所定回転数にＣＡＶ制御されたまま、ＦＧカウンタ２４によるＦＧパルスのカウント（このカウント値は１回転に相当する値に達するごとに“０”に自動的に戻される）およびＣカウンタによる基準クロックのカウントは続行される。これにより、ＦＧカウンタ２４のカウント値が“０”でＣカウンタのカウント値がＣ０のタイミングが周回ごとの基準角度線１１０のタイミングとして検出される。このＦＧカウンタ２４とＣカウンタによる周回ごとの基準角度線１１０のタイミング検出は描画が終了するまで続行される。このようにして基準角度線１１０のタイミング検出を続行した状態で図１１のステップＳ１５に移行する。
【００５３】
図１１のステップＳ１５で光ピックアップ１６のトラッキング制御はオフ（またはホールド）され、ステッピングモータ２８による光ピックアップ１６の移動も停止される。この状態で光ピックアップ１６のレーザ光１８を再生パワーに保持したまま、該光ピックアップ１６のフォーカスアクチュエータにフォーカスジャンプ信号を印加して、レーザ光１８の合焦位置をデータ記録層Ａから描画層Ｂにフォーカスジャンプさせる（Ｓ１６）。そして、レーザ光１８を描画層Ｂに合焦制御した状態で、ステッピングモータ２８を駆動して光ピックアップ１６を所定の描画動作開始径方向位置に到達させる（Ｓ１７）。光ピックアップ１６が描画動作開始径方向位置に到達したことは駆動パルスカウンタ８７（図１）のカウント値で知ることができる。
【００５４】
続いて、図１８に移行する。なお、図１８の制御による動作例を図１９に示す。図１８の制御を図１９を参照しながら説明する。図１１のステップＳ１７で光ピックアップ１６が描画動作開始径方向位置に到達したら、Ｃカウンタが初期リセットされる（図１８のＳ４０）。Ｃカウンタは前記基準クロックによりΔＴ１ごとにカウントアップされ、ＦＧパルスの立ち上がりエッジが検出されるごとに“０”にリセットされる。ＦＧカウンタ２４のカウント値は図１６の基準角度線１１０の検出工程におけるステップＳ３６で“０”にリセットされて以降、該カウント値が１回転に相当する値に達するごとに自動的に“０”に戻されてＦＧパルスの計数を繰り返す。
【００５５】
ＦＧカウンタ２４が“０”に戻され（Ｓ４１）、かつＣカウンタが前記基準クロックにより時間ΔＴ１ごとにカウントアップされて（Ｓ４３，Ｓ４４）、該Ｃカウンタのカウント値が前記メモリに記憶されたオフセット値Ｃ０に達したタイミングで（Ｓ４２）、図１９（ｄ）のようにＷＲＩＴＥ  ＧＡＴＥ信号が出され、図１１のステップＳ１９へ移行し、描画動作が開始される。前述のようにＦＧカウンタ２４のカウント値が“０”でＣカウンタのカウント値がＣ０のタイミングが周回ごとの基準角度線１１０のタイミングであるので、これにより基準角度線１１０の位置から正確に描画動作が開始される。したがって、光ディスク１２に描画した後、光ディスク１２を光ディスク装置１０から排出し、その後光ディスク１２を光ディスク装置１０に再挿入して追加の描画（書き継ぎ、重ね書き等）を行う場合にも、先に形成された画像と追加された画像とで画像の向きに目立つずれが生じることなく追加の描画を行うことができる。その後、図１１のステップＳ２０〜Ｓ２３の制御が実行されて描画が完成する。
【００５６】
《実施の形態１の変形例２》
前記変形例１ではＦＧパルスのカウントと基準クロックのカウントを併用して基準角度線の検出分解能を高めたが、基準クロックのカウントに代えてＦＧパルスの逓倍パルスを用いることもできる。この場合は図１に点線で示すように、スピンドルモータ１４から出力されるＦＧパルスを逓倍器１１３で所定倍数に周波数逓倍し、該周波数逓倍されたＦＧパルス（逓倍ＦＧパルス）を逓倍ＦＧカウンタ１１５でカウントする。この逓倍ＦＧカウンタ１１５は前記変形例１のＣカウンタと同様に使用される（図１６〜図１９参照）。すなわち、図１６の基準角度線１１０の検出工程では、逓倍ＦＧカウンタ１１５は逓倍ＦＧパルスによりカウントアップされ、ＦＧパルスの立ち上がりエッジが検出されるごとに“０”にリセットされる（図１７（ｃ）のＣカウンタの動作参照）。基準位置１０８（図１２）が検出されると、ＦＧカウンタ２４が“０”にリセットされ、そのときの逓倍ＦＧカウンタ１１５のカウント値（図１７（ｃ）の例で言えばＣ＝２）が直前のＦＧパルスの立ち上がりエッジからの基準位置１０８のオフセット値としてシステム制御部２２内のメモリに記憶される。
【００５７】
図１８の基準角度線１１０からの描画工程では、逓倍ＦＧカウンタ１１５は引き続き逓倍ＦＧパルスでカウントアップされ、ＦＧパルスの立ち上がりエッジが検出されるごとに“０”にリセットされる。ＦＧカウンタ２４は基準角度線１１０の検出工程において基準位置１０８で“０”にリセットされて以降、該カウント値が１回転に相当する値に達するごとに該カウント値が“０”に戻されてＦＧパルスの計数を繰り返している。ＦＧカウンタ２４が“０”に戻され、かつ逓倍ＦＧカウンタ１１５が逓倍ＦＧパルスでカウントアップされて該逓倍ＦＧカウンタ１１５のカウント値が前記メモリに記憶されたオフセット値に達するタイミング（図１９（ｃ）の例で言えばＣ＝２のタイミング）が周回ごとの基準角度線１１０のタイミングであるので、このタイミングでＷＲＩＴＥ  ＧＡＴＥ信号（図１９（ｄ）参照）が出され、描画動作が開始される。これにより、基準角度線１１０の位置から正確に描画動作が開始される。
【００５８】
《実施の形態２：第４の光ディスク描画方法の実施の形態》
この発明の実施の形態２を説明する。システム構成としては前出の図１の構成をそのまま利用することができる。この実施の形態２による描画時の制御を図２０に示す。この制御は、使用者による描画実行指示に基づき実行される。ホスト機器１００には予め描画用の画像データが格納されている。この画像データは各画素を前出の図９のように配列したものである。光ディスク装置１０に光ディスク１２が挿入され（あるいはデータ記録の終了に引き続いて）、使用者により描画実行指示が与えられると、スピンドルモータ１４が回転駆動され、フォーカスサーボ８８がオンされ、光ピックアップ１６から出射されるレーザ光１８は再生パワーで光ディスク１２のデータ記録層Ａに合焦制御される（Ｓ５０）。さらに、トラッキングサーボ９２がオンされ（Ｓ５１）、レーザ光１８はデータ記録層ＡのグルーブＣに追従制御される。スピンドルモータ１４を描画時の速度として定められた所定回転数にＣＡＶ制御する。このＣＡＶ制御は描画が終了するまで続行される。
【００５９】
続いて、光ピックアップ１６で、描画動作を開始する位置として指示されたアドレスの手前をＡＴＩＰ、ＡＤＩＰ等のプリフォーマット情報を検出してシークする（Ｓ５２）。そして、描画動作を開始するアドレスが検出されたら（Ｓ５３）、光ピックアップ１６のトラッキング制御をオフ（またはホールド）する（Ｓ５４）。また、駆動パルスカウンタ８７のカウント値は“０”にリセットされる。この状態で光ピックアップ１６のフォーカスアクチュエータにフォーカスジャンプ信号を印加して、レーザ光１８の合焦位置をデータ記録層Ａから描画層Ｂに移動すなわちフォーカスジャンプさせて（Ｓ５５）、その位置から描画動作を開始させる（Ｓ５６）。すなわち、ホスト機器１００から送出される画像データはインタフェース１０２を介してバッファメモリ１０４に一旦蓄えられた後、バッファメモリ１０４からディスク回転数に同期した一定速度で順次読み出されてエンコーダ１０６でエンコードされ、先頭の画像データから順次出力され（図９の例で言えば、画素Ｐ１１，Ｐ１２，・・・，Ｐ１ｎ，Ｐ２１，Ｐ２２，・・・Ｐ２ｎ，・・・・・・，Ｐｍｎの順に出力される）、ＡＬＰＣ回路９８を介してレーザドライバ９６を駆動する。これにより、光ピックアップ１６からは画像データで再生パワー（非描画パワー）と記録パワー（描画パワー）の２値に変調されたレーザ光１８が出射され、光ディスク１２の描画層Ｂに対する描画動作（１周あたりの画素数がディスク径方向位置にかかわらず一定の描画）が開始される。
【００６０】
描画動作が開始されると、ディスク回転に同期してステッピングモータ２８を１周またはｋ周ごとに１ステップずつ駆動し、光ピックアップ１６を所定の微小ピッチ（図９の距離Δｒ）ずつ外周方向に順次移動させて描画を進行させる（Ｓ５７、Ｓ５８）。そして、駆動パルスカウンタ８７のカウント値が描画動作終了径方向位置として指示された位置に相当する値に達すると（Ｓ５９）、描画動作は終了する（Ｓ６０）。
【００６１】
この実施の形態２によれば、データ記録と描画とで光ディスク１２の表裏を反転する操作をする必要がないので、面倒な反転操作が不要になる。また、反転操作が不要なので、データ記録を終了してから描画動作を開始するまでの時間を短縮することができる。
【００６２】
《実施の形態３：第５の光ディスク描画方法の実施の形態》
この発明の実施の形態３を説明する。これは、データ記録層ＡのグルーブＣ上のアドレスを検出して光ピックアップをトラックピッチ（ＤＶＤであれば０．７４μｍ、ＣＤであれば１．６μｍ）で順次ディスク径方向に移動させることにより、該トラックピッチで描画を行うようにしたものである。この方法は、例えばディスク放射方向に延びる仮想的な半直線（例えば前出の図１２の基準角度線１１０）を想定し、データ記録層ＡのグルーブＣが１周ごとにこの半直線と交差する位置のアドレス（ＡＴＩＰ、ＡＤＩＰ等のプリフォーマット情報によるアドレス。「基準角度線上アドレス」という）を予め求めて（光ディスク１２の線速度とトラックピッチにより求められる）メモリに記憶しておき、データ記録層Ａでこの基準角度線上アドレスを順次検出し、該基準角度線上アドレスを検出する都度トラッキング制御をホールドし描画層Ｂにフォーカスジャンプして該当する径方向位置ごとに描画を行うことにより実現することができる。システム構成としては前出の図１の構成をそのまま利用することができる。ただし、光ピックアップ１６の送り用モータは、ステッピングモータ２８に代えて安価なＤＣモータを使用してコストダウンを図ることができる。
【００６３】
この実施の形態３による描画時の制御を図２１に示す。この制御は、使用者による描画実行指示に基づき実行される。ホスト機器１００には予め描画用の画像データが格納されている。この画像データは各画素を前出の図９のように配列したものである（ただし、Δｒ＝トラックピッチ）。各径方向位置の画像データはディスク放射方向に延びる仮想的な半直線（例えば前出の図９の画像基準角度線１１）上の位置から開始される。また、トラックピッチごとの基準角度線上アドレスが予め計算されて光ディスク装置１０のシステム制御部２２に格納されているものとする。
【００６４】
光ディスク装置１０に光ディスク１２が挿入されると（あるいはデータ記録の終了に引き続いて）、スピンドルモータ１４が描画時の速度として定められた所定回転数にＣＡＶ制御される。このＣＡＶ制御は描画が終了するまで続行される。続いて、フォーカスサーボ８８がオンされ（Ｓ６０）、光ピックアップ１６から出射されるレーザ光１８は再生パワーで光ディスク１２のデータ記録層Ａに合焦制御される。さらに、トラッキングサーボ９２がオンされ（Ｓ６１）、レーザ光１８はデータ記録層ＡのグルーブＣに追従制御される。この状態で、光ピックアップ１６でデータ記録層Ａから描画動作開始径方向位置の基準角度線上アドレスの手前をシークする（Ｓ６２）。
【００６５】
描画動作開始径方向位置の基準角度線上アドレスが検出されると（Ｓ６３）、そこで光ピックアップ１６のトラッキング制御はホールドされ、ステッピングモータ２８による光ピックアップ１６の移動も停止される（Ｓ６４）。この状態で光ピックアップ１６のレーザ光１８を再生パワーに保持したまま、該光ピックアップ１６のフォーカスアクチュエータにフォーカスジャンプ信号を印加して、レーザ光１８の合焦位置をデータ記録層Ａから描画層Ｂにフォーカスジャンプさせる（Ｓ６５）。描画層Ｂにフォーカスジャンプしたら、ＦＧカウンタ２４で検出される所定の回転方向位置から描画動作が開始される（Ｓ６６）。すなわち、ホスト機器１００から送出される画像データはインタフェース１０２を介してバッファメモリ１０４に一旦蓄えられた後、バッファメモリ１０４からディスク回転数に同期した一定速度で順次読み出されてエンコーダ１０６でエンコードされ、描画動作開始径方向位置の画像データがその先頭データから順次出力され（図９の例で言えば、画素Ｐ１１，Ｐ１２，・・・，Ｐ１ｎの順に出力される）、ＡＬＰＣ回路９８を介してレーザドライバ９６を駆動する。これにより、光ピックアップ１６からは画像データで再生パワー（非描画パワー）と記録パワー（描画パワー）の２値に変調されたレーザ光１８が出射され、光ディスク１２の描画層Ｂの描画動作開始径方向位置の描画が実行される。そして、スピンドルモータ１４が、同一径方向位置での描画周回数として定められた回数周回したら（Ｓ６７）、描画動作開始径方向位置での描画が終了し（Ｓ６８）、レーザ光１８は再生パワーに戻される。
【００６６】
続いて、トラッキング制御のホールド状態が解除され（Ｓ７０）、光ピックアップ１６のフォーカスアクチュエータに前回と逆方向のフォーカスジャンプ信号を印加して、レーザ光１８の合焦位置を描画層Ｂからデータ記録層Ａにフォーカスジャンプさせる（Ｓ７１）。そして、トラッキング制御をオンし（Ｓ６１）、次のトラック（描画動作開始径方向位置の外周側に隣接するトラック）の基準角度線上アドレスの手前をシークする（Ｓ６２）。該当する基準角度線上アドレスが検出されると（Ｓ６３）、そこで光ピックアップ１６のトラッキング制御はホールドされ、ステッピングモータ２８による光ピックアップ１６の移動も停止される（Ｓ６４）。この状態で光ピックアップ１６のレーザ光１８を再生パワーに保持したまま、該光ピックアップ１６のフォーカスアクチュエータにフォーカスジャンプ信号を印加して、レーザ光１８の合焦位置をデータ記録層Ａから描画層Ｂにフォーカスジャンプさせる（Ｓ６５）。描画層Ｂにフォーカスジャンプしたら、そのディスク径方向位置の画像データがその先頭データから順次出力され（図９の例で言えば、画素Ｐ２１，Ｐ２２，・・・，Ｐ２ｎの順に出力される）、ＦＧカウンタ２４で検出される前記所定の回転方向位置から順次描画される（Ｓ６６、Ｓ６７）。
【００６７】
以上のデータ記録層Ａの位置情報の読み出しに基づく光ピックアップ１６の径方向の位置決め、トラッキング制御をホールドしての描画層Ｂへのフォーカスジャンプ、その径方向位置での描画、データ記録層Ａへのフォーカスジャンプの一連の工程を繰り返すことにより、所定のトラックピッチで描画が順次外周方向に進行していく。そして、最終の径方向位置の描画が終了したら（Ｓ６９）、描画動作を終了する。
【００６８】
図２２は以上説明した実施の形態３による描画方法と他の方法による描画時のレーザ光１８の描画層上での描画軌跡の違いを示す。図２２（ａ）はステッピングモータをマイクロステップ駆動して光ピックアップを移動させて描画したときの描画軌跡であり、描画軌跡の間隔がモータ自身やモータの制御回路のばらつきにより変動している。このような描画軌跡の間隔の変動は形成された画像にムラを生じさせる。図２２（ｂ）はステッピングモータをフルステップ駆動して光ピックアップを移動させて描画したときの描画軌跡である。一般に１フルステップの移動量は大きいため（数１０〜数１００μｍ程度）、描画軌跡の間隔が広くなり、粗い画像となる。図２２（ｃ）は実施の形態３による描画軌跡である。この方法によれば、描画軌跡はトラックピッチと同じ狭い間隔（１．６μｍまたは０．７４μｍ）で均一であるため、ムラがなくしかも緻密で綺麗な画像に描画することができる。
【００６９】
この実施の形態３によれば、データ記録と描画とで光ディスク１２の表裏を反転する操作をする必要がないので、面倒な反転操作が不要になる。また、反転操作が不要なので、データ記録を終了してから描画動作を開始するまでの時間を短縮することができる。
【００７０】
なお、この実施の形態３において、描画しようとする可視画像がディスク径方向の途中位置に描画を要しないディスク径方向領域を有する場合には、その径方向位置をスキップすることができる。すなわち、描画を要しないディスク径方向領域の直前のディスク径方向位置について描画を終了したら（図２１のＳ６８）、レーザ光１８を再生パワーに戻し、トラッキング制御のホールド状態を解除し（Ｓ７０）、レーザ光１８の合焦位置を描画層Ｂからデータ記録層Ａにフォーカスジャンプさせる（Ｓ７１）。そして、トラッキング制御をオンし（Ｓ６１）、描画を要しないディスク径方向領域を過ぎた位置のトラックの基準角度線上アドレスの手前をシークする（Ｓ６２）。該当する基準角度線上アドレスが検出されると（Ｓ６３）、そこで光ピックアップ１６のトラッキング制御はホールドされ、ステッピングモータ２８による光ピックアップ１６の移動も停止される（Ｓ６４）。この状態で光ピックアップ１６のレーザ光１８を再生パワーに保持したまま、該光ピックアップ１６のフォーカスアクチュエータにフォーカスジャンプ信号を印加して、レーザ光１８の合焦位置をデータ記録層Ａから描画層Ｂにフォーカスジャンプさせる（Ｓ６５）。描画層Ｂにフォーカスジャンプしたら、そのディスク径方向位置の画像データがその先頭データから順次出力され、ＦＧカウンタ２４で検出される前記所定の回転方向位置から順次描画される（Ｓ６６、Ｓ６７）。このようにして、描画を要しないディスク径方向領域をスキップして描画することにより、描画に要する時間を短縮することができる。
【００７１】
以上のようにして実施の形態３において描画を要しないディスク径方向領域をスキップして描画した可視画像１１１の一例を図２３に示す。この可視画像１１１は半径Ｒ０〜Ｒ１が描画する画像が含まれる全領域であり、このうち半径Ｒ０〜Ｒａ、Ｒｂ〜Ｒ１の領域が描画する画像が存在し描画を要する領域１１１ａであり、半径Ｒａ〜Ｒｂの領域が描画する画像がなく描画を要しない領域１１１ｂである。なお、符号１２ｃは中心穴である。描画動作は、半径Ｒ０で開始され、半径Ｒａで一旦中断され、半径Ｒａ〜Ｒｂがスキップされ、半径Ｒｂで再開され、半径Ｒ１で終了している。
【００７２】
《描画可能ディスク判断手法１》
光ディスクの盤面に描画を行う場合、描画しようとする光ディスクが描画可能なディスクかどうかを予め判断する必要がある。その判断手法例を説明する。これは、光ディスクが描画可能なディスクであることを示す識別情報（描画可能ディスク識別情報）を新たに定義して光ディスク１２のデータ記録層Ａに記録し、光ディスクが光ディスク装置１０（図１）に挿入されたときに、光ピックアップ１６でこの描画可能ディスク識別情報が読み取られるか否かによって、この挿入された光ディスクが描画可能かどうかを判断するものである。
【００７３】
〈ＣＤフォーマットにおける描画可能ディスク識別情報の定義例１〉
データ記録層ＡがＣＤフォーマットで構成されている場合には、ＡＴＩＰの未定義コードを用いて描画可能ディスク識別情報を記録することができる。図２４はＡＴＩＰのデータ構造を示す。このデータ構造で、“Ｕ１”＝“１”とし、“Ｕ２〜Ｕ７”に描画可能ディスク識別情報を入れることができる。例えば“Ｕ１〜Ｕ７”＝“１０１０１０１”を描画可能ディスク識別情報として定義することができる。
【００７４】
〈ＣＤフォーマットにおける描画可能ディスク識別情報の定義例２〉
例えば第１セッションを記録済にし、第２セッション以降をユーザが記録できるように構成されているいわゆるハイブリッドＣＤ−Ｒディスクであれば、第１セッションのサブコードＲ〜Ｗの未定義コードを用いて描画可能ディスク識別情報を記録することができる。図２５はサブコードのデータ構造を示す。このデータ構造で、“ＭＯＤＥ”＝“１１１”、“ＩＴＥＭ”＝“０００”の場合は、サブコードＲ〜Ｗはユーザモードとなり、ユーザが“ＩＮＳＴＲＵＣＴＩＯＮ”と“ＤＡＴＡ  ｆｉｅｌｄ”を自由に定義することができる。そこで、例えば“ＩＮＳＴＲＵＣＴＩＯＮ”＝“０１０１０１”とし、“ＤＡＴＡ  ｆｉｅｌｄ”が図２６に示すパターンである場合を描画可能ディスク識別情報として定義することができる。
【００７５】
〈ＣＤフォーマットにおける描画可能ディスク識別情報の定義例３〉
同様に第１セッションを記録済にし、第２セッション以降をユーザが記録できるように構成されているいわゆるハイブリッドＣＤ−Ｒディスクであれば、第１セッションのリードイン領域やリードアウト領域のメインデータに描画可能ディスク識別情報を記録することができる。図２７はＣＤフォーマットの１セクタ分のデータ構造を示す。このデータ構造で、プログラム領域では“データ”に意味のあるデータが記録されている。しかし、リードイン領域やリードアウト領域では“データ”はドライブにより読み込まれることがないので、通常はランダムデータやゼロデータといった意味のないデータが記録されている。そこで、リードイン領域やリードアウト領域の“データ”に描画可能ディスク識別情報を記録することができる。リードイン領域やリードアウト領域の“データ”に記録する描画可能ディスク識別情報の一例を図２８に示す。この例ではデータ値を１ずつ増加する値としている。
【００７６】
〈ＣＤフォーマットの場合の描画可能ディスク識別情報の定義例４〉
同様に第１セッションを記録済にし、第２セッション以降をユーザが記録できるように構成されているいわゆるハイブリッドＣＤ−Ｒディスクであれば、第１セッションの特定のＣＲＣエラー発生パターンを描画可能ディスク識別情報として定義することができる。そのＣＲＣエラー発生パターン例を図２９に示す。番号０〜８９は任意のサブコードフレームＮからのサブコードフレームのアドレスＮ〜（Ｎ＋８９）を示す。“○”はＣＲＣエラーなしのサブコードフレームを示し、“×”はＣＲＣエラーありのサブコードフレームを示す。図２９の例では、アドレスＮに後続する３の倍数のアドレスごとにＣＲＣエラーが発生するパターンを描画可能ディスク識別情報として定義している。そして、このようなＣＲＣエラー発生パターンとなるようにサブコードを記録しておく。
【００７７】
〈ＤＶＤ＋Ｒフォーマットにおける描画可能ディスク識別情報の定義例〉
データ記録層ＡがＤＶＤ＋ＲまたはＤＶＤ＋ＲＷフォーマットで構成されている場合には、ＡＤＩＰの未定義コードを用いて描画可能ディスク識別情報を記録することができる。図３０はＡＤＩＰのデータ構造を示す。このデータ構造で、“Ｂｙｔｅ１”の“ｂ７  ｔｏ  ｂ４”の値を“００００”以外の値とすれば描画可能ディスク識別情報を記録することができる。例えば、“ｂ７〜ｂ４”＝“１０１０”を描画可能ディスク識別情報として定義することができる。なお、ランドプリピットを採用しているＤＶＤ−ＲあるいはＤＶＤ−ＲＷフォーマットの場合は、ランドプリピットの未定義コードを用いて描画可能ディスク識別情報を記録することができる。
【００７８】
以上のように描画可能ディスク識別情報をデータ記録層Ａに記録する場合の光ディスク装置１０による描画可能ディスク判断フローを図３１に示す。光ディスク１２が挿入されると、フォーカスサーチが行われ（Ｓ８０）、二層ディスクか否かが判断される（Ｓ８１）。このフォーカスサーチによる二層ディスクか否かの判断は、例えばフォーカスアクチュエータに三角波を印加して対物レンズ３０（図２〜図７）を下端位置から上端位置まで駆動したときに、合焦位置が２箇所得られるか否かかによって行われる。合焦位置が２箇所得られなかったときは描画層Ｂがないものと判断して、レーザ入射面１２ａへのデータ記録のみ許可する。
【００７９】
合焦位置が２箇所得られたときは、描画可能であると判断して、レーザ光１８をデータ記録層Ａに合焦させる（Ｓ８２）。続いてスピンドルモータ１４を駆動し、光ピックアップ１６のトラッキングサーボ９２をオンし（Ｓ８３）レーザ光１８をデータ記録層ＡのグルーブＣに追従させる。そして、描画可能ディスク識別情報が記録されているデータ記録層Ａの領域をシークする（Ｓ８４）。該領域のデータを読み出し（Ｓ８５）、描画可能ディスク識別情報の有無を判断し（Ｓ８６）、描画可能ディスク識別情報が検出された場合は描画層Ｂに描画可能と判断し（Ｓ８７）、ユーザの描画指示を待って描画を行う。一方、描画可能ディスク識別情報が検出されなかった場合は描画層Ｂに描画不可と判断し（Ｓ８８）、レーザ入射面１２ａへのデータ記録のみ許可する。
【００８０】
《描画可能ディスク判断手法２》
これは、描画可能な光ディスク１２のレーザ入射面１２ａ側のディスク基板表面に、光ピックアップ１６で検出可能な描画可能ディスク識別マークを形成し、光ディスクが光ディスク装置１０（図１）に挿入されたときに、光ピックアップ１６でこの描画可能ディスク識別情報が読み取られるか否かによって、この挿入された光ディスクが描画可能かどうかを判断するものである。
【００８１】
図３２に描画可能ディスク識別マークの形成例を示す。（ａ）は描画可能光ディスク１２のレーザ入射面１２ａ側の構造を示し、（ｂ）は該光ディスク１２の描画領域を示す。光ディスク１２の層構造は例えば前出の図２〜図７等である。この光ディスク１２のレーザ入射面１２ａ側のディスク基板表面に黒色等の印刷で描画可能ディスク識別マーク１１７を形成する。この例では、中心穴１２ｃの周囲に９０°の間隔で印刷した４本のバーで描画可能ディスク識別マーク１１７を構成している。１本のマーク１１７の幅（ディスク周方向の長さ）は１ｍｍ程度である。この描画可能ディスク識別マーク１１７を形成する半径方向の領域１１９（マーク形成領域）はディスク中心から半径２１．０〜２２．０ｍｍの領域である。この領域はデータ記録層Ａは存在するが通常の光ディスク装置では記録再生しない領域である。マーク形成領域１１９の外周側（半径２２．０ｍｍよりも外周側）がデータ記録を行うデータ記録領域１２１である。描画層Ｂに描画を行う描画領域１２３は半径２４．０ｍｍから外周側の領域として設定されている。マーク形成領域１１９をさらに外周側（例えば、ＤＶＤの場合は半径２２．０〜２４．０ｍｍの領域、ＣＤの場合は半径２３．０〜２５．０ｍｍの領域）に設定することもできる。
【００８２】
以上のように描画可能ディスク識別マーク１１７を形成する場合の光ディスク装置１０による描画可能ディスク判断フローを図３３に示す。光ディスク１２が挿入されると、フォーカスサーチが行われ（Ｓ９０）、二層ディスクか否かが判断される（Ｓ９１）。このフォーカスサーチによる二層ディスクか否かの判断は、例えばフォーカスアクチュエータに三角波を印加して対物レンズ３０（図２〜図７）を下端位置から上端位置まで駆動したときに、合焦位置が２箇所得られるか否かかによって行われる。合焦位置が２箇所得られなかったときは描画層Ｂがないものと判断して、レーザ入射面１２ａへのデータ記録のみ許可する。
【００８３】
合焦位置が２箇所で得られたときは、描画可能であると判断して、レーザ光１８をデータ記録層Ａに合焦させる（Ｓ９２）。続いて描画可能ディスク識別マーク１１７が形成されているデータ記録層Ａの領域をレーザ光１８でトレースする（Ｓ９３）。反射光量の周期的な増減により描画可能ディスク識別マーク１１７の有無を判断し（Ｓ９４）、描画可能ディスク識別マーク１１７が検出された場合は描画層Ｂに描画可能と判断し（Ｓ９５）、ユーザの描画指示を待って描画を行う。一方、描画可能ディスク識別マーク１１７が検出されなかった場合は描画層Ｂに描画不可と判断し（Ｓ９６）、レーザ入射面１２ａへのデータ記録のみ許可する。
【図面の簡単な説明】
【００８４】
【図１】この発明の実施の形態に係るシステム構成を示すブロック図である。
【図２】図１の光ディスク１２の層構造およびレーザ光の配置例を示す一部拡大断面図である。
【図３】図１の光ディスク１２の層構造およびレーザ光の他の配置例を示す一部拡大断面図である。
【図４】図１の光ディスク１２の層構造およびレーザ光の他の配置例を示す一部拡大断面図である。
【図５】図１の光ディスク１２の層構造およびレーザ光の他の配置例を示す一部拡大断面図である。
【図６】図１の光ディスク１２の層構造およびレーザ光の他の配置例を示す一部拡大断面図である。
【図７】図１の光ディスク１２の層構造およびレーザ光の他の配置例を示す一部拡大断面図である。
【図８】図１のシステム構成によるデータ記録時の制御を示すフローチャートである。
【図９】光ディスク１２の描画層Ｂに描画する１枚の画像を構成する画素の配列を模式的に示した図である。
【図１０】光ディスク１２の描画層Ｂに描画する時のレーザ光１８のレーザパワーの変化を示す波形図である。
【図１１】実施の形態１における図１のシステム構成による描画時の制御を示すフローチャートである。
【図１２】光ディスク１２のデータ記録層ＡのグルーブＣ（トラック）における基準位置の設定例を示す模式図である。
【図１３】光ディスク１２の基準角度線１１０の設定例を示す模式図である。
【図１４】光ディスク１２のデータ記録層Ａから描画層Ｂへのフォ−カスジャンプの様子を示す模式図である。
【図１５】図１１の描画制御により光ディスク１２の描画層Ｂに描画された可視画像１１１の一例を示す平面図である。
【図１６】図１１の描画制御において基準角度線１１０の方向に対する描画された画像の向きのずれを小さくするために図１１のステップＳ１３〜Ｓ１４に置き換えられる制御を示すフローチャートである。
【図１７】図１６の制御による動作を示すタイムチャートである。
【図１８】図１１の描画制御において基準角度線１１０の方向に対する描画された画像の向きのずれを小さくするために図１１のステップＳ１８に置き換えられる制御を示すフローチャートである。
【図１９】図１８の制御による動作を示すタイムチャートである。
【図２０】実施の形態２における図１のシステム構成による描画時の制御を示すフローチャートである。
【図２１】実施の形態３における図１のシステム構成による描画時の制御を示すフローチャートである。
【図２２】実施の形態３による描画方法と他の方法による描画時のレーザ光１８の描画軌跡の違いを示す図で、描画層の一部の領域を示す平面図である。
【図２３】実施の形態３において描画を要しないディスク径方向領域をスキップして描画した可視画像１１１の一例を示す平面図である。
【図２４】ＣＤフォーマットのＡＴＩＰのデータ構造を示す図である。
【図２５】ＣＤフォーマットのサブコードのデータ構造を示す図である。
【図２６】ＣＤフォーマットのサブコードによる描画可能ディスク識別情報の定義例を示す図である。
【図２７】ＣＤフォーマットの１セクタ分のデータ構造を示す図である。
【図２８】ＣＤフォーマットのメインデータによる描画可能ディスク識別情報の定義例を示す図である。
【図２９】ＣＤフォーマットのＣＲＣエラー発生パターンによる描画可能ディスク識別情報の定義例を示す図である。
【図３０】ＤＶＤ＋ＲフォーマットのＡＤＩＰのデータ構造を示す図である。
【図３１】描画可能ディスク識別情報をデータ記録層に記録する場合の光ディスク装置１０による描画可能ディスク判断手法を示すフローチャートである。
【図３２】光ディスク１２における描画可能ディスク識別マークの形成例を示す図である。
【図３３】描画可能ディスク識別マーク１１７を形成する場合の光ディスク装置１０による描画可能ディスク判断判断手法を示すフローチャートである。
【符号の説明】
【００８５】
１０…光ディスク装置、１１…画像基準角度線、１２…光ディスク、１２ａ…レーザ入射面、１２ｂ…レーベル面、１４…スピンドルモータ、１６…光ピックアップ、１８…レーザ光、２２…システム制御部、２４…ＦＧカウンタ、２８ステッピングモータ（送りモータ）、８７…駆動パルスカウンタ、８８…フォーカスサーボ、９２…トラッキングサーボ、１００…ホスト機器、１０８…基準位置、１１０…基準角度線、１１１…可視画像、１１１ａ…描画を要する領域、１１１ｂ…描画を要しない領域、１１７…描画可能ディスク識別マーク、Ａ…データ記録層、Ｂ…描画層、Ｃ…データ記録層のグルーブ（トラック）。
【図１】
2008004244.tif 000003
【図２】
2008004244.tif 000004
【図３】
2008004244.tif 000005
【図４】
2008004244.tif 000006
【図５】
2008004244.tif 000007
【図６】
2008004244.tif 000008
【図７】
2008004244.tif 000009
【図８】
2008004244.tif 000010
【図９】
2008004244.tif 000011
【図１０】
2008004244.tif 000012
【図１１】
2008004244.tif 000013
【図１２】
2008004244.tif 000014
【図１３】
2008004244.tif 000015
【図１４】
2008004244.tif 000016
【図１５】
2008004244.tif 000017
【図１６】
2008004244.tif 000018
【図１７】
2008004244.tif 000019
【図１８】
2008004244.tif 000020
【図１９】
2008004244.tif 000021
【図２０】
2008004244.tif 000022
【図２１】
2008004244.tif 000023
【図２２】
2008004244.tif 000024
【図２３】
2008004244.tif 000025
【図２４】
2008004244.tif 000026
【図２５】
2008004244.tif 000027
【図２６】
2008004244.tif 000028
【図２７】
2008004244.tif 000029
【図２８】
2008004244.tif 000030
【図２９】
2008004244.tif 000031
【図３０】
2008004244.tif 000032
【図３１】
2008004244.tif 000033
【図３２】
2008004244.tif 000034
【図３３】
2008004244.tif 000035